(57)【要約】【課題】ねじジャッキとラチェット機構で構成する静荷重検査装置を片方の手で押えることなく安定性よく使用することができ、また微小数値までの正確な計測を可能にした計量機用表示保持式静荷重検査装置を提供する。【解決手段】構築物に固定し、上端は軸支持部になった基体１に昇降体支持腕３を設け、また荷重設定軸４を鉛直状態で回動自在に螺挿してある。昇降体支持腕３に昇降体９が摺動可能かつ回動不能に挿装してある。上端側に上側アイボルトを有し、デジタル指示計と電気的に接続される検査用ロードセル１０を昇降体９の上端側に連結する。昇降体を昇降させて該検査用ロードセルに静荷重を付与するラチェット機構１１が荷重設定軸４に設けてある。ラチェット機構１１のラチェットレバーには荷重設定軸４にロックする連動機構１２が設けてある。【選択図】図１
0003172023.tif 000002
【実用新案登録請求の範囲】
【請求項１】
下端は構築物への接続固定部とし、上端は軸支持部としてなる基体と、該基体に設けた昇降体支持腕と、軸方向途中から上部側に雄ねじ部を有し、下端側が該基体の軸支持部に鉛直状態で回動自在に支持された荷重設定軸と、前記昇降体支持腕に摺動可能かつ回動不能に支持され、該荷重設定軸の雄ねじ部に螺合する雌ねじ部を有する昇降体と、上端側に計量機連結部を有し、下端側は該昇降体の上端側と連結され、デジタル指示計と電気的に接続される検査用ロードセルと、前記昇降体を昇降させて該検査用ロードセルに静荷重を付与すべく前記荷重設定軸に設けたラチェット機構と、該ラチェット機構のラチェットレバーを前記荷重設定軸にロックさせる連動機構とからなり、該連動機構は前記荷重設定軸に設けられ、外周面に複数の係止部を等間隔に形成してあるラチェット係止環と、前記ラチェットレバーに設けられ、前記係止部に選択的に係脱する係合ピンを進退可能に有する機構本体とから構成してなる計量機用表示保持式静荷重検査装置。
【請求項２】
前記昇降体支持腕は、前記基体に昇降可能に設けてあることを特徴とする請求項１記載の計量機用表示保持式静荷重検査装置。
【請求項３】
前記機構本体は、前記ラチェットレバーに設けたホルダーに前記係合ピンを進退可能に挿装し、該係合ピンは前記ホルダーとの間に張設したバネにより前記ラチェット係止環に向けて付勢し、かつ該係合ピンに設けたストッパーを前記ホルダーに係止することにより前記バネのバネ力に抗して後退状態に保持可能に構成してあることを特徴とする請求項１記載の計量機用表示保持式静荷重検査装置。
【考案の詳細な説明】
【技術分野】
【０００１】
生コンクリート製造プラントにおける水、セメント、砂、砂利、砕石等の混合材料、或いは各種の原料等を大秤量する計量機の精度を検査するための計量機用表示保持式静荷重検査装置に関する。
【背景技術】
【０００２】
例えば、生コンクリート製造プラント、所謂バッチャプラントに組込んだ計量機は法規によって年２回その精度の検査が義務付けられている。このため、従来は検査の度毎に計量ホッパに分銅用棚を組付け、当該棚に所定重量の基準分銅を所定の静荷重に達するまで積み込み、計量用ロードセルに加わった静荷重を表示計に表示することにより、該計量用ロードセルの精度を検査するようにしている。しかし、分銅の積み込み、積み下ろし作業は効率が悪く、また作業者に掛る負担も大きいという欠点がある。
【０００３】
そこで、計量作業の効率化を図るために、ねじジャッキとラチェット機構を組込んだ簡易な静荷重検査装置が使われるようになった。この簡易式静荷重検査装置は、構築物に係止するフックを下端に有し、該フックの上端に連結したラチェット機構と、該ラチェット機構の上端に連結したねじジャッキと、該ねじジャッキの上端に設けた供回り阻止レバーと、ねじジャッキの上端と計量ホッパとの間に連結した検査用ロードセルとから大略構成してある。
【０００４】
上記検査装置による計測時には、フックを構築物の床等に係止し、検査用ロードセルを計量ホッパに連結し、ラチェット機構を作動してねじジャッキを縮小させることにより検査用ロードセルに所定値まで荷重を掛け、検査用ロードセルの数値と計量ホッパの計量用ロードセルの数値を照合することにより、計量用ロードセルの数値の誤差を検出するようにしている。
【先行技術文献】
【特許文献】
【０００５】
【特許文献１】特開平２−３２２２０
【考案の概要】
【考案が解決しようとする課題】
【０００６】
上述したねじジャッキとラチェット機構を組込んだ静荷重検査装置において、ラチェット機構はつめ車がつめ毎、即ち１クリック毎に進むことから、ねじジャッキもつめのピッチ幅で回転するために計測値に幅が生じ、この幅の間の数値は計測できない、つまりアナログの計測ができないという精度面での欠点がある。また、ラチェット機構はフックで構築物に連結しているため、ラチェットレバーを押動する場合に共回りすることから、他方の手で押えていなければならず、作業性が悪いという欠点がある。
【０００７】
本考案は上述した従来技術の欠点に鑑みなされたもので、ねじジャッキとラチェット機構で構成する静荷重検査装置を片方の手で押えることなく安定性よく使用することができ、また微小数値までの正確な計測を可能にした計量機用表示保持式静荷重検査装置を提供することを目的とする。
【課題を解決するための手段】
【０００８】
上述した課題を解決するために構成した本考案は、下端は構築物への接続固定部とし、上端は軸支持部としてなる基体と、該基体に設けた昇降体支持腕と、軸方向途中から上部側に雄ねじ部を有し、下端側が該基体の軸支持部に鉛直状態で回動自在に支持された荷重設定軸と、前記昇降体支持腕に摺動可能かつ回動不能に支持され、該荷重設定軸の雄ねじ部に螺合する雌ねじ部を有する昇降体と、上端側に計量機連結部を有し、下端側は該昇降体の上端側と連結され、デジタル指示計と電気的に接続される検査用ロードセルと、前記昇降体を昇降させて該検査用ロードセルに静荷重を付与すべく前記荷重設定軸に設けたラチェット機構と、該ラチェット機構のラチェットレバーを前記荷重設定軸にロックさせる連動機構とからなり、該連動機構は前記荷重設定軸に設けられ、外周面に複数の係止部を等間隔に形成してあるラチェット係止環と、前記ラチェットレバーに設けられ、前記係止部に選択的に係脱する係合ピンを進退可能に有する機構本体とからなる。
【０００９】
そして、前記昇降体支持腕は、前記基体に昇降可能に設けるとよい。
【００１０】
また、前記機構本体は、前記ラチェットレバーに設けたホルダーに前記係合ピンを進退可能に挿装し、該係合ピンは前記ホルダーとの間に張設したバネにより前記ラチェット係止環に向けて付勢し、かつ該係合ピンに設けたストッパーを前記ホルダーに係止することにより前記バネのバネ力に抗して後退状態に保持可能に構成するとよい。
【考案の効果】
【００１１】
本考案は上述の如く構成したから、下記の諸効果を奏する。
（１）ラチェットレバーを押動して検査用ロードセルを計量ホッパの計測重量に近い値にした後、連動機構によりラチェットレバーを荷重設定軸に連結することにより、荷重設定軸の回動操作が可能であるから、ラチェット機構の欠点であるつめ車のピッチに拘らず微細な計測が可能であるし、計量値を任意に設定して保持することができる。
（２）ラチェット機構を支持する基体は取付けボルトによって構築物に固定する構成にしたから、ラチェット機構の操作時に従来技術のように他方の手で他の構成部材が共回りするのを抑える必要が無いので作業性に優れている。
（３）昇降体支持腕は基体に昇降可能に設けて昇降体の上下可動幅を広げることを可能にしたから、検査用ロードセルを連結する高さが異なる複数の計量ホッパに対応することができる。
（４）連動機構を構成する機構本体は、係合ピンを進退可能に支持するホルダーとの間に張設したバネによりラチェット係止環に向けて付勢し、かつストッパーをホルダーに係止することによりバネのバネ力に抗して後退状態に保持可能に構成したから、係合ピンをラチェット係止環に係合させる操作を確実に、かつ速やかに行うことができる。
【図面の簡単な説明】
【００１２】
【図１】本考案の実施の形態に係る計量機用表示保持式静荷重検査装置の正面図である。
【図２】同装置の一部を破断にして示す右側面図である。
【図３】図１中のＡ−Ａ矢示方向断面図である。
【図４】連動機構の内部構成を示す平面図である。
【図５】連動機構の内部構成を示す縦断面図である。
【図６】実施の形態に係る荷重検査装置をバッチャプラントに組付けた状態の説明図である。
【考案を実施するための形態】
【００１３】
以下、本考案の実施の形態を図面に基づき詳述する。図において、１は金属製の基体を示す。該基体１は略四角形の板からなり、建屋の床に固定するための取付けボルト２が挿着してある底板１Ａと、該底板１Ａの二辺から起立する側板１Ｂ、１Ｂと、肉厚の後板１Ｃと、該側板１Ｂと後板１Ｃの上端に設けた軸支持板１Ｄと、該軸支持板１Ｅに形成し、後述する荷重設定軸４を挿通する軸挿通穴１Ｅとから前側が開放した箱型に形成し、後板１Ｃから上方に支柱１Ｆが突出形成してある。
【００１４】
３は前記支柱１Ｅに設けられ、後述する昇降体９を縦方向に摺動可能、かつ回動不能に支持する昇降体支持腕で、該昇降体支持腕３は支柱１Ｆに摺動可能に挿嵌するボス３Ａと、該ボス３Ａから横方向に突出する腕本体３Ｂと、該腕本体３Ｂに形成した角穴からなる支持穴３Ｃと、ボス３Ａに螺合して支柱１Ｆに固定するための止めねじ３Ｄとから構成してある。
【００１５】
４は前記基体１に鉛直状態に螺挿した荷重設定軸を示し、該荷重設定軸４は軸本体４Ａと、該軸本体４Ａの上部側に形成した上雄ねじ部４Ｂと、下端側に形成した下雄ねじ部４Ｃと、軸本体４Ａの中間に嵌合した６面に面取りしたラチェット嵌合部４Ｄとから構成してある。そして、荷重設定軸４はスリーブ５、座金６を介して下端側を基体１の軸支持板１Ｅに挿通し、スラスト玉軸受を有する軸受ホルダー７をナット８、８で締着することによって軸支持板１Ｅに回動可能に支持されている。
【００１６】
９は前記昇降体支持腕３に縦方向に摺動可能に挿通された昇降体を示す。該昇降体９は平面視でコ字状の筒体からなり、上端側には連結部９Ａ、９Ａを二股状に形成し、下端側に荷重設定軸４の上雄ねじ部４Ｂに螺合する雌ねじ部９Ｂとなるナットが嵌着してある。そして、上述の構成からなる昇降体９は雌ねじ部９Ｂに荷重設定軸４を螺合した状態で昇降体支持腕３に支持され、荷重設定軸４が回動することにより矢示イ、ロ方向に昇降する。
【００１７】
１０は引張り荷重を検出するための検査用ロードセルを示し、該検査用ロードセル１０は公知のロードセル本体１０Ａと、該ロードセル本体１０Ａの下端に突設され、前記昇降体９の連結部９Ａに連結される下側アイボルト１０Ｂと、ロードセル本体１０１Ａの上端に設けられ、計量ホッパ○に連結される上側アイボルト１０Ｃとから構成してあり、ロードセル本体１０Ａは信号線１０Ｄを介して和算機能を持ったデジタル指示計と接続されている。
【００１８】
１１は前記検査用ロードセル１０に静荷重を付与するため、荷重設定軸４のラチェット嵌合部４Ｄに嵌着したラチェット機構を示す。該ラチェット機構１１は荷重設定軸４と一体回転するつめ車につめが係脱自在に係合する機構部１１Ａと、該機構部１１Ａを回動操作するためのラチェットレバー１１Ｂと、つめの向きを変えて該ラチェットレバー１１Ｂの操作方向を切替える切替スイッチ１１Ｃとからなる公知の構成のものである。そして、ラチェットレバー１１Ｂは矢示ハ方向に押動することにより、荷重設定軸４を所定の方向に回転させて昇降体９を下降させ、矢示ニ方向の逆方向にはフリーに戻る。
【００１９】
１２は前記ラチェット機構1１のラチェットレバー１１Ｂを荷重設定軸４にロックさせる連動機構を示す。１３は該連動機構１２を構成するラチェット係止環で、該ラチェット係止環１３は環体の外周面に複数、実施の形態では１２個の係止凹部１３Ａ、１３Ａを等間隔に形成したものからなっている。１４はラチェットレバー１１Ｂに設けた機構本体で、該機構本体１４は前記ラチェット係止環１３に対向する略円筒状のホルダー１４Ａと、該ホルダー１４Ａに進退可能に挿装し、先端が前記係止凹部１３Ａに嵌合する係合ピン１４Ｂと、該係合ピン１４Ｂの後端側に径方向に突設した係合突起１４Ｃと、係合ピン１４Ｂの後端に設けた操作摘み１４Ｄと、係合ピン１４Ｂとホルダー１４Ａとの間に張設され、係合ピン１４Ｂを突出方向に付勢する圧縮ばね１４Ｅと、該圧縮ばね１４Ｅのばね力に抗して後退させた係合ピン１４Ｂを係止するためにホルダー１４Ａの後面に設けた係止溝１４Ｆとから構成してある。
【００２０】
次に、上述の構成からなる本実施の形態の荷重検査装置をバッチャプラントの計量機に用いて検査する場合を例に挙げ、図６を参照してその作動を説明する。図中２１は建屋の固定横梁、２２、２２、２２は該固定横梁２１に吊下した３個の計量用ロードセルで、該各計量用ロードセル２２は図示しない操作室に設置してある指示計２３と電気的に接続してある。２４は計量用ロードセル２２、２２、２２から吊設した計量ホッパで、該計量ホッパ２４の上端側には一対のブラケット２４Ａ、２４Ａを突設し、該各ブラケット２４Ａには接続シャックル２４Ｂが設けてある、２５は計量ホッパ２４の周囲に配置して建屋に設けたデッキである。
【００２１】
計量用ロードセル２２、２２、２２の精度検査を行う場合は図に示すように少なくとも２台の検査装置を用いるので、図中右側の検査装置を１号装置、左側の装置を２号装置と称する。なお、１号装置は本件出願人が取得した特許第２０４２３１８号発明ですので、詳細は省略します。先ず、検査用ロードセル１０の上側アイボルト１０Ｃを計量ホッパ２４の接続シャックル２４Ｂに連結し、取付けボルト２により基体１をデッキ２５に固定する。次に、連動機構１２をフリーの状態にしてラチェットレバー１１Ｂを矢示イ方向に押動し、荷重設定軸４を粗送りするように回転させる。これにより昇降体９が下降する。このようにして、１号装置と２号装置を計量ホッパ２４とデッキ２５との間に張設し、検査用ロードセル１０に負荷を掛けてその数値を計量ホッパ２４の計測重量に近い値にする。
【００２２】
しかる後、連動機構１２の係合ピン１２Ｂを圧縮ばね１４Ｄのばね力によって前進させてその先端側をラチェット係止環１３の係止凹部１３Ａに嵌合圧接させる。これにより、ラチェットレバー１１Ｂの回転方向の動きはラチェット係止環１３に直に伝達可能になり、ラチェットレバー１１Ｂを矢示ハ、ニ方向に微小回動して負荷設定軸４を回動し、昇降体９を微小量上昇或いは下降させることで計量用ロードセル１０を正確な測定値に設定することができる。
【００２３】
このように、連動機構１２は当初はフリーの状態にし、検査用ロードセル１０に掛ける荷重を微細調整する場合は連動機構１２によりラチェットレバー１１Ｂと荷重設定軸４を一体に回動可能にすることで、ラチェット機構１１のピッチに影響されることなく高精度の計測が可能である。
【００２４】
上記操作において、係合ピン１４Ｂは、ホルダー１４Ａとの間に張設した圧縮バネ１４Ｅによりラチェット係止環１３に向けて付勢し、かつ係合ピン１４Ｂに設けた係合突起１４Ｃをホルダー１４Ａに係止することにより圧縮バネ１４Ｅのバネ力に抗して後退状態に保持可能に構成したから、圧縮ばね１４Ｅのばね力によって係合ピン１４Ｂをラチェット係止環１３に係合させる操作を速やかに行うことができる。
【００２５】
なお、本実施の形態で、昇降体支持腕３は基体１に昇降可能に設けることにより、昇降体９の昇降幅を広げることができるから、検査用ロードセル１０を連結する位置が異なる複数の計量ホッパに対応することができる。
【符号の説明】
【００２６】
１        基体
３        昇降体支持腕
４        荷重設定軸
４Ｂ      雄ねじ部
９        昇降体
９Ｂ      雌ねじ部
１０      検査用ロードセル
１０Ｃ    上側アイボルト（計量機連結部）
１１      ラチェット機構
１１Ｂ    ラチェットレバー
１２      連動機構
１３      ラチェット係止環
１３Ａ    係合凹部
１４      機構本体
１４Ａ    ホルダー
１４Ｂ    係合ピン
１４Ｃ    係合突起(ストッパー)
１４Ｅ    圧縮ばね
【図１】
0003172023.tif 000003
【図２】
0003172023.tif 000004
【図３】
0003172023.tif 000005
【図４】
0003172023.tif 000006
【図５】
0003172023.tif 000007
【図６】
0003172023.tif 000008